(57)【要約】【課題】  携帯端末により複数の状態測定装置を効率よく監視する方法を提供する。【解決手段】  複数の状態測定装置を複数のグループにグループ化し、各グループを識別可能な第１のシンボルとして表し、前記状態測定装置をグループ毎に識別可能な第２のシンボルとして表し、前記状態測定装置から送信されてくる信号をメッセージに変換し、前記第１のシンボルと、少なくともひとつのグループに含まれる状態測定装置を示す前記第２のシンボルと、前記メッセージとを前記携帯端末の画面に同時に表示する。  【選択図】図２
2006239084.tif 000002
【特許請求の範囲】
【請求項１】
無線による近傍通信機能を有する携帯端末により、サーバを含むネットワークを介して接続する複数の状態測定装置の監視方法であって、
前記複数の状態測定装置を複数のグループにグループ化し、各グループを識別可能な第１のシンボルとして表し、
前記状態測定装置をグループ毎に識別可能な第２のシンボルとして表し、
前記状態測定装置から送信されてくる信号をメッセージに変換し、
前記第１のシンボルと、少なくともひとつのグループに含まれる状態測定装置を示す前記第２のシンボルと、前記メッセージとを前記携帯端末の画面に同時に表示することを特徴とする携帯端末による状態測定装置の監視方法。
【請求項２】
少なくとも前記第２のシンボルが、該シンボルと関連付けられた状態測定装置から送信されてくる信号に応じて色及び／又は点滅により変化することを特徴とする請求項１に記載の状態測定装置の監視方法。
【請求項３】
前記第２のシンボルを特定することにより、該シンボルと関連づけられた状態測定装置が送信する詳細情報及び／又は該状態測定装置と関連付けられた詳細情報を前記携帯端末の画面に表示することを特徴とする請求項１又は２に記載の状態測定装置の監視方法。
【請求項４】
前記状態測定装置と関連付けられた詳細情報を表示する携帯端末の画面には、状態測定装置が送信したデータの履歴を表示させるための第３のシンボルが表示されていることを特徴とする請求項１から３のいずれか一項に記載の状態測定装置の監視方法。
【請求項５】
前記状態測定装置と関連付けられた詳細情報を表示する画面には、携帯端末からデータ入力を受け付ける画面を表示させる第４のシンボルが表示されていることを特徴とする請求項１から４のいずれか一項に記載の状態測定装置の監視方法。
【請求項６】
前記状態測定装置は動脈血酸素飽和度と脈拍数をモニターする生体情報モニターであることを特徴とする請求項１から５のいずれか一項に記載の状態測定装置の監視方法。
【請求項７】
前記データ入力を受け付ける画面からは少なくとも患者ＩＤ、患者氏名、患者性別が入力可能であることを特徴とする請求項６に記載の状態測定装置の監視方法。
【発明の詳細な説明】
【技術分野】
【０００１】
本発明は、携帯端末により有線及び／又は無線ネットワークにより接続する複数の状態測定装置を監視する方法に関する。特に、病院において看護師が入院している複数の患者の状態の監視項目として使う動脈血酸素飽和度（以下、ＳｐＯ２）、脈拍数等を測定する生体情報モニターを携帯端末でリアルタイムに監視する方法に関する。
【背景技術】
【０００２】
生産工場やサービス施設では、一人の人間が複数の生産装置や測定装置を監視し、異常が発生した場合はその処理にあたっている。例えば、病院に勤務する看護師は、一人で複数の患者の状態を把握し、患者に異常が発生した場合には、これに素早く対応し、適切な処置及び処理をするという業務を行っている。
【０００３】
ここで、患者の状態を把握するための状態測定装置は、生体情報モニター、あるいはバイタルセンサーと一般的に呼ばれている。
【０００４】
生体情報モニターが測定するデータとしては、ＳｐＯ２、血圧、脈拍等が一般的である。生体情報モニターを監視するシステムとしては、例えばＰＨＳを使ったものがあり、このシステムにおいては、ＰＨＳにより通報されてくる患者の部屋番号、患者の氏名、アラームの種類等を看護師が音声で聞き、患者の状態を把握するように構成されている。
【０００５】
このような従来のシステムは、携帯端末の画面サイズが小さいことから最大でも１６台程度の生体情報モニターしか監視することできないが、近年システムの規模が大きくなるにつれ、数十台から数百台の状態測定装置を監視しなければならないという問題がある。
【０００６】
また、アラームはあらかじめ設定された値を下回った場合に常に発生するようになっているため、どのような状況下でその生体情報モニターにアラームが発生したのか、その詳細な内容を知ることができない。このため、複数の状態測定装置から同時アラームが発生したときに、どちらのアラームを優先すべきかその場で的確に判断し、優先順位の高いものから対応することができないという問題がある。
【０００７】
更に、アラームのなかには接触不良等による一時的なアラーム等、様々なアラームが含まれており、ハードウェアに起因するアラームと監視対象に異常が発生したことによるアラームとを区別して監視する必要がある。しかし、従来の状態測定装置の監視方法では、係るアラームの区別ができないという問題がある。
【０００８】
これまでの病院における生体情報モニターを監視するシステムは、患者情報の登録をＬＡＮに接続する管理用コンピュータで行っている。しかし、管理用のコンピュータを使っての入力は、入力ミスやコンピュータの立ち上げに時間がかかるという問題、また、複数の人が同時に管理用コンピュータを使えるようにするには、複数台の管理用コンピュータを設置しなければならないという問題もある。
【発明の開示】
【発明が解決しようとする課題】
【０００９】
そこで本発明の課題は、表示画面のサイズが小さいため、多くの情報を表示できないという制約のある携帯端末でも、多数の状態測定装置を効率よく監視できる方法を提供することにある。
【００１０】
また、本発明の他の課題は、携帯端末により、例えばベッドサイドで患者と対話をしながら、あるいは患者が付けているリストバンドを確認しながら、患者情報を入力できるというデータ発生源での入力を可能とする状態測定装置の監視方法を提供することにある。
【００１１】
更に、本発明は複数の状態測定装置から送信されてくるアラームの優先順位を容易に判断できる方法を提供することにある。
【００１２】
本発明は、表示画面サイズが小さく表示できる情報に制約がある一方において、小さいが故に携行が便利であるという携帯端末の特徴を生かした状態測定装置の監視方法を提供するものである。
【特許文献１】特開2003-303239
【非特許文献１】有限会社  メディカルトライシステム  “製品案内  モニタアラーム ページングシステム”[平成１７年３月１日検索]、インターネット（URL：<http://www.medical-trys.com/product/pcmoaps/index.htm>
【課題を解決するための手段】
【００１３】
本発明は、無線による近傍通信機能を有する携帯端末により、サーバを含むネットワークを介して接続する複数の状態測定装置の監視方法であって、前記複数の状態測定装置を複数のグループにグループ化し、各グループを識別可能な第１のシンボルとして表し、前記状態測定装置をグループ毎に識別可能な第２のシンボルとして表し、前記状態測定装置から送信されてくる信号をメッセージに変換し、前記第１のシンボルと、少なくともひとつのグループに含まれる状態測定装置を示す前記第２のシンボルと、前記メッセージとを前記携帯端末の画面に同時に表示する携帯端末による状態測定装置の監視方法である。
【００１４】
複数の状態測定装置をグループ化し、そのうちの一つのグループ内の状態測定装置を識別可能な第２のシンボルとして画面に表示し、かつ状態測定装置からの信号である、例えばアラーム信号が送られてきた場合には、その信号をメッセージとして携帯端末の画面に表示する。これにより状態測定装置を監視する監視者は限られた画面サイズしかない携帯端末であっても、自分が監視するグループの状態測定装置の状況を容易に把握することができる。
【００１５】
少なくとも前記第２のシンボルは、該シンボルと関連付けられた状態測定装置から送信されてくる信号に応じて色及び／又は点滅により変化する。これにより、例えば状態測定装置から異常を示す信号が送信されてきた場合に第２のシンボルの色を変化及び／又は点滅させることにより、状態測定装置に異常が発生したことが監視者に確実に通知できる。
【００１６】
前記第２のシンボルを特定することにより、該シンボルと関連づけられた状態測定装置が送信する詳細情報及び／又は該状態測定装置と関連付けられた詳細情報を前記携帯端末の画面に表示する。携帯端末の画面に表示されている状態測定装置のシンボルが、アラームにより色及び／又は点滅により変化することで、監視者は異常が発生した状態測定装置を知ることができる。また、かかる色等が変化したシンボルをクリックすることで、監視者はアラームの詳細な内容を把握することができる。
【００１７】
状態測定装置と関連付けられた詳細情報を表示する携帯端末の画面には、履歴を表示させるための第３のシンボルが含まれる。第３のシンボルをクリックすることで該シンボルと関連付けられた状態測定装置がこれまでに送信した履歴情報を、例えばグラフにより表示でき、監視者はこれにより状態測定装置から送られてくる詳細な内容を携帯端末で知ることができる。
【００１８】
状態測定装置と関連付けられた詳細情報を表示する画面には、携帯端末からデータ入力を受け付ける画面を表示させる第４のシンボルが表示される。
【００１９】
前記状態測定装置は動脈血酸素飽和度と脈拍数をモニターする生体情報モニターである。
【００２０】
前記第４のシンボルを特定することにより表示される情報入力受付画面から、少なくとも患者ＩＤ、患者氏名、患者性別が入力できる。これにより例えば、状態測定装置が生体情報モニターである場合、生体情報モニターに接続する患者のＩＤ、住所、氏名等を携帯端末から確実に入力することができる。
【発明の効果】
【００２１】
本発明の携帯端末による状態測定装置の監視方法によれば、表示画面サイズが小さい携帯端末でも多数の状態測定装置を効率よく監視することができる。また、データ発生源において、携帯端末から直接データを入力することができるので、データ入力ミス等を防止することができる。更に、監視者は携帯端末に送信されてくる情報の優先度を容易に判断できるという特有の効果がある。
【発明を実施するための最良の形態】
【００２２】
図１は携帯端末による状態測定装置の監視システムのシステム構成図である。この実施例では携帯端末としてＰＤＡ（Personal Digital Assistant）、状態測定装置としては生体情報モニターを使用した。しかし、本発明はこれに限定されるものではない。
【００２３】
この実施例における生体情報モニター２０は、ＳｐＯ２、脈拍数、血圧をモニタリングすることができる。生体情報モニター２０はケーブルにより患者の指等に装着される。生体情報モニター２０が測定したデータはアクセスポイント３０によりネットワークを介してサーバ４０に蓄積される。アクセスポイントは無線基地局であるとともに有線ＬＡＮを収容でき、生体情報モニター２０とアクセスポイント３０とは有線、又は無線により接続されている。  
【００２４】
ネットワークにはサーバ４０が接続しており、生体情報モニター２０が送信するデータを格納している。また、管理用パソコン５０から入力された患者データも生体情報モニターと関連付けられてサーバ４０に格納される。
【００２５】
生体情報モニター２０はいくつかのグループにグループ化される。この実施例では東３と西３とにグループ化されている。グループ化は、例えば一人の看護師が監視しなければならないエリアで分ける、あるいは病棟で分ける等、監視しやすい単位でグループ化すれば良い。
【００２６】
携帯端末１０とアクセスポイント３０とは無線により接続する。サーバ４０には生体情報モニター２０から一定間隔で患者のＳｐＯ２値、脈拍数、血圧値が送信されてくる。サーバ４０は送信されてくるデータを格納するとともに、所定の携帯端末１０にその携帯端末を携行する看護師が監視する生体情報モニターの情報を所定の間隔で送信する。
【００２７】
図２は携帯端末１０に通常表示される画面の一構成例である。この画面の構成例では、生体情報モニター２０を「東３」、「西３」、及び「北３」の３グループにグループ化している。この３グループはこれらのシンボルでグループ表示エリア１２０に表示される。
【００２８】
グループ表示エリア１２０において、「東３」をクリックすることによりグループ表示エリア１１０には、「東３」グループに設置されている全ての状態測定装置がシンボルにより表示される。ここでは「東３」の生体情報モニターの１番をＥ３０１として表示している。
【００２９】
Ｅ３０１に相当する生体情報モニターに異常が発生するとＥ３０１は色が変化等することで異常が発生したことを看護師に伝える。なお「ＡＬＬ」を選択することにより、全ての生体情報モニターのシンボルを携帯端末１０の画面に表示することができる。
【００３０】
発生した異常内容は簡単なメッセージとして、メッセージ表示エリア１３０にリアルタイムで表示される。図２においてはＥ３０１に発生した異常は、発生した時刻、異常内容、及びアラーム発生の上限値、又は下限値とともに表示される。Ｅ３０１で発生したより詳細な異常内容を知るには、Ｅ３０１をクリックすれば良い。
【００３１】
図３はＥ３０１が送信する患者の詳細情報を表示する画面の一構成例である。詳細情報表示エリア１６０には、表示中の生体情報モニターはＥ３０１であること、患者のＩＤ、入床日、患者の氏名、患者の主治医、主治医の連絡先が表示される。また、ＳｐＯ２値、血圧値、及びＰＩが表示される。更に、患者の連絡先も表示される。
【００３２】
詳細情報表示エリア１６０のＡｌａｒｍは、Ｅ３０１からアラームが発生しているか否かを表示するエリアである。Ｅｘｃｅｐｔｉｏｎは、生体情報モニターであるＥ３０１と患者とを接続するケーブルが正常に接続しているか等のハードウェア上の異常の有無を表示するものである。図３ではハードウェアは正常に動作している。
【００３３】
図３において、トレンド１４０はＥ３０１（生体情報モニター）がこれまでにサーバ４０に送信したデータのトレンドを表示させるためのシンボルである。かかるシンボルであるトレンド１４０をクリックしたときに携帯端末１０に表示される画面が図４である。図４に示すように患者のＰＩ、ＳｐＯ２、ＰＲ（血圧）がトレンドグラフで表示される。
【００３４】
図３において、属性１５０は携帯端末１０から患者に関する情報、例えば患者ＩＤ、氏名、住所等を入力した場合にクリックするシンボルである。
【００３５】
図４は生体情報モニター（Ｅ３０１）の患者のＳＰＯ２、ＰＲ、ＰＩのトレンド表示した画面の一構成例である。図４に示すとおりＥ３０１の患者次郎のＳＰＯ２等のデータがトレンドで表示される。看護師は表示されたトレンドにより、アラームが発生した前後における患者の状況を把握することができ、緊急度を要するアラームであるか否かを判断することができる。
【００３６】
図５は患者個人情報入力画面の一構成例を示したものである。図３に示す画面において、属性１５０をクリックすることにより患者の個人情報の入力受付画面が表示される。看護師はベッドサイドにおいて、画面に表示されている入力項目、例えば患者ＩＤ、患者氏名、性別、生年月日等を入力する。入力が完了したら「ＯＫ」をクリックすることで、データはサーバ４０に格納される。看護師は患者のベッドサイドで入力データの確認を行いながらデータを入力できる。
【００３７】
図６は患者の個人情報を画面表示した一構成例である。例えば、図２に示す画面において東３のＥ３０５をクリックし、これにより表示される図３の画面において、属性１５０をクリックすることにより図６に示すようにＥ３０５の患者の詳細情報が表示される。
【００３８】
以上説明したように、看護師が携行する携帯端末１０の通常の画面には、その看護師が監視しなければならない生体情報モニターがシンボルで携帯端末１０の画面に表示されている。ここで、生体情報モニターに異常の発生した場合、その生体情報モニターを示すシンボルの色が変化する等により、看護師は確実に異常が発生したことを把握することができる。
【００３９】
また、メッセージエリア１３０には異常内容が簡単なメッセージとして表示される。これにより看護師は素早くどの生体情報モニターに異常が発生したか、またその異常の内容は何であるかを把握できる。
【００４０】
更に、メッセージから、より詳細な内容を知る必要があると判断した場合は、生体情報モニターのシンボル、例えばＥ３０１をクリックすることにより、図３に示す詳細画面を表示させることができる。これにより、緊急度を要するアラームであり主治医を呼ぶ必要のあるアラームであるか否かを的確に判断できる。更に、トレンド１４０をクリックすることで、時系列的な情報を把握でき、アラームの緊急度や優先度を判断するのに役立つ。
【産業上の利用可能性】
【００４１】
以上説明したとおり、本発明によれば、携帯端末により複数の状態測定装置を監視でき、監視者は携帯端末を携行することで、複数の状態測定装置を的確に監視できる。本発明は、製造業、サービス業等の様々な監視システムへ応用することができる。
【図面の簡単な説明】
【００４２】
【図１】携帯端末による状態測定装置の監視システムのシステム構成図である。
【図２】携帯端末１０に通常表示される画面の一構成例である。
【図３】Ｅ３０１が送信する詳細情報の表示画面の一構成例である。
【図４】ＳＰＯ２、ＰＲ、ＰＩをトレンド表示した画面の一構成例である。
【図５】患者個人情報入力画面の一構成例を示したものである。
【図６】患者の詳細情報を表示した画面の一構成例を示したものである。
【符号の説明】
【００４３】
１    携帯端末を用いた状態測定装置の監視システム    
１０  携帯端末（ＰＤＡ）    
２０  生体情報モニター  
３０  アクセスポイント
４０  サーバ
５０  管理用ＰＣ    
【図１】
2006239084.tif 000003
【図２】
2006239084.tif 000004
【図３】
2006239084.tif 000005
【図４】
2006239084.tif 000006
【図５】
2006239084.tif 000007
【図６】
2006239084.tif 000008